(57)【要約】【課題】正確且つ安全な振動吸収部材の取り付け及び事務機器の設置を案内する。【解決手段】本発明に係る位置決めシート４は、プリンター１を設置床面Ｆに設置する際に設置床面Ｆ上に予め配置されるものであって、プリンター１の設置面に原寸で対応する形状を有してプリンター１の設置位置を示していると共に、プリンター１と設置床面Ｆとの間に設けられる振動吸収部材３のプリンター１に対する取付位置を原寸表示した取付位置表示部１７を備えている。【選択図】図１
2015082059.tif 000002
【特許請求の範囲】
【請求項１】
事務機器の設置面に原寸で対応する形状を有して前記事務機器の設置位置を示していると共に、前記事務機器と設置床面との間に設けられる振動吸収部材の前記事務機器に対する取付位置を原寸表示した取付位置表示部を備えていることを特徴とする位置決めシート。
【請求項２】
前記事務機器の下面よりも大きな面積を有し、前記事務機器の下面の外周に沿う形状でくり抜かれた設置空間を中央に設けていて、前記設置空間に沿って前記取付位置表示部を設けていることを特徴とする請求項１に記載の位置決めシート。
【請求項３】
前記事務機器の下面の外周に沿った形状を有すると共に該下面よりも小さな面積を有し、外周に沿って前記取付位置表示部を設けていることを特徴とする請求項１に記載の位置決めシート。
【請求項４】
分割された複数の分割シートが結合されて構成されることを特徴とする請求項１乃至３の何れか１項に記載の位置決めシート。
【請求項５】
前記事務機器としての画像形成装置であって、
設置床面に配置された振動吸収部材上に載置される装置本体と、
装置本体の下面に対する振動吸収部材の取付位置を記憶した記憶部と、
前記記憶部に記憶した前記取付位置に基づいて、前記取付位置を原寸表示した取付位置画像を用紙に形成することで、請求項１乃至４の何れか１項に記載の位置決めシートを生成する画像形成部と、を備えることを特徴とする画像形成装置。
【請求項６】
前記画像形成部は、印刷テスト用のテストパターンと共に前記取付位置画像を前記用紙に形成して前記位置決めシートを生成することを特徴とする請求項５に記載の画像形成装置。
【発明の詳細な説明】
【技術分野】
【０００１】
本発明は、画像形成装置等の事務機器の設置に使用される位置決めシート、及び画像形成装置に関する。
【背景技術】
【０００２】
従来、複写機、プリンター、複合機等の画像形成装置やその他の事務機器は、地震発生時等における位置ずれや転倒を避けるために、設置床面と事務機器の下面（裏側）との間に免震シート等の振動吸収部材を設けて設置される。振動吸収部材は、事務機器と設置床面との設置力を向上させ、事務機器へと伝わる振動を軽減する作用を有する。
【０００３】
例えば、特許文献１に記載の事務機器の振動吸収装置は、弾性部材によって構成され、事務機器とその設置面との間に介装される弾性マットを用いていて、弾性マットは、事務機器の底面に当接する第１平面部と設置面に当接する第２平面部を対向して備えて構成されている。
【先行技術文献】
【特許文献】
【０００４】
【特許文献１】特開２０１２−２３０２６５号公報
【発明の概要】
【発明が解決しようとする課題】
【０００５】
振動吸収部材は、事務機器の下面の適切な位置に取り付けられることで最も効果的に事務機器に作用するが、この適切な取付位置は明確にされていないことが多く、また明確にされている場合でも、事務機器を逆さにしなければその取付位置を確認することができない。振動吸収部材の取付位置を確認することなく事務機器を設置すると、振動吸収部材が効果的に作用しない状態で事務機器に取り付けられ、地震発生時等において事務機器へ伝わる振動を軽減することができず、事務機器の位置ずれや転倒が発生してしまう。
【０００６】
また、事務機器は、比較的大型で且つ重量の重いものが多く、振動吸収部材の取付位置を確認するときにこのような事務機器を逆さにすることは設置作業者に危険が伴う。更に、事務機器は、通常、水平に置かれた状態で使用されるように構成されているので、事務機器を逆さにすると、内部部品が外れたり、内部機構に想定外の負荷が掛かることで、機器が故障する懸念がある。例えば、事務機器としての画像形成装置は、トナーを含有するトナー容器を着脱可能に備えているので、画像形成装置を逆さにすると、トナーやトナー容器が落下する危険がある。
【０００７】
そこで、本発明は上記の事情を考慮し、正確且つ安全な振動吸収部材の取り付け及び事務機器の設置を案内することを目的とする。
【課題を解決するための手段】
【０００８】
本発明の位置決めシートは、事務機器の設置面に原寸で対応する形状を有して前記事務機器の設置位置を示していると共に、前記事務機器と設置床面との間に設けられる振動吸収部材の前記事務機器に対する取付位置を原寸表示した取付位置表示部を備えていることを特徴とする。
【０００９】
このような構成を採用することで、事務機器を実際に設置する前に、事務機器の設置位置を位置決めシートによって簡易に確認することができ、また、振動吸収部材を誤って取り付けることがないので振動吸収部材の取り付けをし直す必要がなくなり、振動吸収部材の効果が低減されることもない。また、この位置決めシートを使用することによって、事務機器を逆さにしたり横にしたりすることなく、振動吸収部材を事務機器に対して最適に作用する取付位置に配置することができ、事務機器を安定的に設置することができる。また、作業者の事務機器を設置時の危険や負担を軽減すると共に、事務機器を傾けることによる内部部品の落下や負荷を回避することができる。従って、位置決めシートは、正確且つ安全な振動吸収部材の取り付け及び事務機器の設置を案内することを可能にする。
【００１０】
上記の位置決めシートは、前記事務機器の下面よりも大きな面積を有し、前記事務機器の下面の外周に沿う形状でくり抜かれた設置空間を中央に設けていて、前記設置空間に沿って前記取付位置表示部を設けているとよい。
【００１１】
このような構成を採用することで、位置決めシートは、中央の設置空間を利用して事務機器の設置位置と共に取付位置表示部を示しているので、簡易な構成で振動吸収部材の取付位置を表示することができる。また、事務機器が設置空間に位置決めされて設置されるので、位置決めシートを事務機器に干渉させずに取り除くことができる。
【００１２】
或いは、上記の位置決めシートは、前記事務機器の下面の外周に沿った形状を有すると共に該下面よりも小さな面積を有し、外周に沿って前記取付位置表示部を設けているとよい。
【００１３】
このような構成を採用することで、位置決めシートを必要最小限の用紙で形成することが可能となる。この位置決めシートの取付位置表示部以外の形状によって事務機器の設置位置を確認することができる。また、位置決めシートを残したまま事務機器を設置していれば、事務機器を移動する際に、残された位置決めシートを再度使用することもできる。
【００１４】
上記の位置決めシートは、分割された複数の分割シートが結合されて構成される。
【００１５】
このような構成を採用することで、位置決めシートを生成する画像形成装置で印刷可能な用紙の幅が限定されている場合でも、その幅よりも大きな幅を有する位置決めシートを生成することができる。
【００１６】
本発明の画像形成装置は、前記事務機器としての画像形成装置であって、設置床面に配置された振動吸収部材上に載置される装置本体と、装置本体の下面に対する振動吸収部材の取付位置を記憶した記憶部と、前記記憶部に記憶した前記取付位置に基づいて、前記取付位置を原寸表示した取付位置画像を用紙に形成することで、上記の何れかに記載の位置決めシートを生成する画像形成部と、を備えることを特徴とする。
【００１７】
このような構成を採用することで、画像形成装置の設置面の大きさや振動吸収部材の取付位置が画像形成装置の機種毎に異なっていて様々なパターンの位置決めシートが存在する場合でも、実際に設置している画像形成装置によって、対応する位置決めシートを取得することができる。従って、画像形成装置によって位置決めシートが異なる場合でも、混乱することなく適切な位置決めシートを取得することができる。
【００１８】
前記画像形成部は、印刷テスト用のテストパターンと共に前記取付位置画像を前記用紙に形成して前記位置決めシートを生成してもよい。
【００１９】
このような構成を採用することで、作業者は、画像形成装置の設置時や初期設定時に、テストパターンを印刷すれば位置決めシートを取得することができるため、用紙を効率良く利用することができる。
【発明の効果】
【００２０】
本発明によれば、正確且つ安全な振動吸収部材の取り付け及び事務機器の設置を案内することが可能になる。
【図面の簡単な説明】
【００２１】
【図１】本発明の一実施形態に係るプリンターの設置直後の状態を概略的に示す斜視図である。
【図２】本発明の一実施形態に係るプリンターの内部構成を概略的に示すブロック図である。
【図３】本発明の一実施形態に係るプリンターの設置に用いられる位置決めシートの加工前の状態を示す斜視図である。
【図４】本発明の一実施形態に係るプリンターの設置に用いられる位置決めシートの加工後の状態を示す斜視図である。
【図５】本発明の一実施形態に係るプリンターの設置において、振動吸収部材を配置した状態を示す斜視図である。
【図６】本発明の一実施形態に係るプリンターの設置において、振動吸収部材上にプリンターを載置した状態を示す斜視図である。
【図７】本発明の一実施形態に係るプリンターの設置に用いられる変形例の位置決めシートの加工前の状態を示す斜視図である。
【図８】本発明の一実施形態に係るプリンターの設置に用いられる変形例の位置決めシートの加工後の状態を示す斜視図である。
【図９】本発明の他の実施形態に係るプリンターの設置に用いられる位置決めシートの加工前の状態を示す斜視図である。
【図１０】本発明の他の実施形態に係るプリンターの設置に用いられる位置決めシートの加工後の状態を示す斜視図である。
【図１１】本発明の他の実施形態に係るプリンターの設置において、振動吸収部材を配置した状態を示す斜視図である。
【図１２】本発明の他の実施形態に係るプリンターの設置において、振動吸収部材上にプリンターを載置した状態を示す斜視図である。
【図１３】本発明の他の実施形態に係るプリンターの設置に用いられる変形例の位置決めシートの加工前の状態を示す斜視図である。
【図１４】本発明の他の実施形態に係るプリンターの設置に用いられる変形例の位置決めシートの加工後の状態を示す斜視図である。
【発明を実施するための形態】
【００２２】
まず、図１及び図２を用いて事務機器としてのプリンター（画像形成装置）１の全体の構成について説明する。図１は、本発明の一実施形態に係るプリンターの設置直後の状態を示す斜視図、図２は、本発明の一実施形態に係るプリンターの内部構成を示すブロック図である。以下、図１における紙面手前側を、プリンター１の正面側（前側）とし、矢印Ｆｒは、プリンター１の正面側を示している。
【００２３】
図１に示されるように、プリンター１は、箱型形状の装置本体２を備え、装置本体２が設置床面Ｆに配置された振動吸収部材３上に載置されることでプリンター１が設置され、このとき、装置本体２の下面（設置面）に振動吸収部材３が取り付けられる。このプリンター１の設置には、位置決めシート４が用いられる。振動吸収部材３及び位置決めシート４の詳細は後述する。
【００２４】
装置本体２の下部には用紙（図示せず）を収納した給紙カセット等を含む給紙部５が設けられ、装置本体２の上部には画像形成された用紙が排出される排紙トレイ等を含む排紙部６が設けられている。更に、装置本体２の上部には、操作部７が設けられる。操作部７は、例えば、プリンター１の各種設定を受け付け、本実施形態では、テストパターンや位置決めシート４の印刷指示を受け付けるように構成される。
【００２５】
プリンター１は、図２に示されるように、制御部８及び記憶部９を備える。例えば、制御部８は、ＣＰＵ（Ｃｅｎｔｒａｌ  Ｐｒｏｃｅｓｓｉｎｇ  Ｕｎｉｔ）等を有してプリンター１の各部を制御するように構成される。記憶部９は、ＲＯＭ（Ｒｅａｄ Ｏｎｌｙ
Ｍｅｍｏｒｙ）やＲＡＭ（Ｒａｎｄｏｍ Ａｃｃｅｓｓ Ｍｅｍｏｒｙ）等のメモリを有して構成され、振動吸収部材３の取付位置に関する情報を記憶する。記憶部９は、例えば、プリンター１の下面（設置面）の寸法やプリンター１に対する振動吸収部材３の適切な取付位置について位置決めシート４に描画される取付位置画像データを記憶する。また、制御部８は、操作部７と、画像形成部１０と、定着部１１と、通信部１２とに接続されている。
【００２６】
画像形成部１０は、給紙部５から供給される用紙に対して画像を形成するもので、装置本体２の内部で給紙部５と排紙部６との間に設けられる。例えば、画像形成部１０は、感光体ドラム等の回転可能な像担持体を備え、像担持体の周囲に、帯電部と、露光部と、現像部と、転写部と、クリーニング部とを順に配置して構成される。
【００２７】
定着部１１は、画像形成部１０で形成された画像を用紙に定着させるもので、装置本体２の内部で画像形成部１０と排紙部６との間に設けられる。
【００２８】
通信部１２は、ＬＡＮ（Ｌｏｃａｌ  Ａｒｅａ  Ｎｅｔｗｏｒｋ）等のネットワークを介してプリンター１をユーザーのパーソナルコンピュータ等の外部機器と接続する。通信部１２は、例えば、印刷対象となる画像データや印刷指示を外部機器から受信し、また、プリンター１の状態を外部機器に送信する。
【００２９】
次に、振動吸収部材３について詳細に説明する。振動吸収部材３は、例えば、水平方向に所定の縦横の寸法を有する矩形の板状に形成されたゲル状シートやゴム状シート等の弾性体シートである。なお、振動吸収部材３は、矩形の板状以外の形状で形成されてもよく、また、弾性体シート以外のダンパー部材などの他の部材で形成されてもよい。振動吸収部材３は、適切な取付位置として、例えば、プリンター１の下面（設置面）の外周に沿って、又は下面の角部に沿って取り付けられることで、プリンター１に対して適切に作用して、プリンター１に生じる振動を効率良く吸収する。
【００３０】
次に、位置決めシート４について、図１及び図２に加えて、図３〜図６を参照して詳細に説明する。図３は、本発明の一実施形態に係るプリンターの設置に用いられる位置決めシートの加工前の状態を示す斜視図、図４は、本発明の一実施形態に係るプリンターの設置に用いられる位置決めシートの加工後の状態を示す斜視図である。また、図５は、本発明の一実施形態に係るプリンターの設置において、振動吸収部材を配置した状態を示す斜視図、図６は、本発明の一実施形態に係るプリンターの設置において、振動吸収部材上にプリンターを載置した状態を示す斜視図である。位置決めシート４は、プリンター１を設置床面Ｆに設置する際に、設置床面Ｆ上に配置されて使用されるものである。
【００３１】
位置決めシート４は、プリンター１の下面面積（設置面積）よりも大きな面積を有し（図１参照）、プリンター１の下面の外周に沿う形状でくり抜かれる設置空間１３を中央に設けている（図３〜図５参照）。即ち、位置決めシート４は、設置空間１３の周囲で所定の幅を有する略Ｏ字状に形成され、或いは、図４及び図５に示されるように、一部が開放された（切り開かれた）略Ｕ字状に形成される。なお、位置決めシート４は、設置空間１３や開放部分が開けられる前の状態では、設置空間１３や開放部分を示す点線１４が描画されていて、点線１４に沿って設置空間１３や開放部分に相当する余剰部分を切り取ることで生成される。
【００３２】
また、位置決めシート４は、振動吸収部材３がプリンター１に対して適切に作用する取付位置を原寸表示している。例えば、プリンター１の下面の四つの角部に沿う位置が振動吸収部材３の適切な取付位置である場合には、位置決めシート４は、図３〜図５に示されるように、設置空間１３の四つの角部１５を基準として振動吸収部材３の縦横の寸法に合う位置に矢印１６を原寸表示する。即ち、設置空間１３の各角部１５と矢印１６とが取付位置表示部１７となり、角部１５と矢印１６とで区画される領域によって振動吸収部材３の取付位置（取付位置表示部１７）を原寸表示している。
【００３３】
位置決めシート４は、プリンター１が内部データを用いて独立して印刷動作を行うことによって生成される。位置決めシート４は、例えば、設置位置以外の場所に仮置きされたプリンター１によって、記憶部９に記憶された取付位置画像データに基づいて、プリンター１の下面寸法である設置空間１３を示す点線１４が描画されると共に、振動吸収部材３の取付位置を示す矢印１６が描画されるように、取付位置画像が用紙に印刷される。
【００３４】
次に、プリンター１の画像形成動作について説明する。プリンター１に電源が投入されると、各種パラメーターが初期化され、定着部１１の温度設定等の初期設定が実行される。そして、記憶部９に記憶された取付位置画像データに基づく位置決めシート４の印刷指示や、画像形成装置１に接続されたコンピューター等からの入力画像の印刷指示がなされると、以下のようにして画像形成動作が実行される。なお、位置決めシート４を生成する場合には、プリンター１は仮置きの状態でよい。
【００３５】
先ず、帯電部によって像担持体の表面が帯電された後、露光部によって上記の位置決めシート４や入力画像に対応した露光が像担持体に対して行われ、像担持体の表面に静電潜像が形成される。なお、位置決めシート４を生成する場合には、制御部８が、点線１４や矢印１６を含む取付位置画像データに基づいて、プリンター１の設置位置及び振動吸収部材３の取付位置を原寸で示すような静電潜像を形成するように露光部を制御する。次に、この静電潜像を、現像部がトナー（現像剤）によってトナー像に現像する。
【００３６】
一方、給紙部５によって給紙カセットから取り出された用紙が、上記した画像形成動作とタイミングを合わせて転写部へと搬送され、転写部において像担持体上のトナー像が用紙に転写される。トナー像を転写された用紙は、搬送経路１５を下流側へと搬送されて定着部１１に進入し、この定着部１１において用紙にトナー像が定着される。トナー像が定着された用紙は、排紙部６で排紙トレイに排出される。なお、像担持体上に残留したトナーは、クリーニング部によって回収される。
【００３７】
次に、プリンター１の設置動作について図３〜図６を参照して説明する。
【００３８】
プリンター１を設置する作業者は、先ず、上記した画像形成動作等により位置決めシート４を準備する（図３参照）。なお、位置決めシート４に設置空間１３や開放部分が開けられていなければ、作業者は位置決めシート４の点線１４に沿って設置空間１３や開放部分を切り取る（図４参照）。
【００３９】
そして、作業者は、設置床面Ｆにおけるプリンター１の所望の設置位置に設置空間１３を合わせて位置決めシート４を配置する。このとき、位置決めシート４の設置床面Ｆからのずれを避けるために、位置決めシート４は設置床面Ｆに貼付可能に構成されていてもよい。
【００４０】
また、作業者は、位置決めシート４の設置空間１３の角部１５と矢印１６とで原寸表示された取付位置表示部１７に適合する振動吸収部材３を準備し、各角部１５（取付位置表示部１７）に合わせて振動吸収部材３を取り付ける（図５参照）。
【００４１】
その後、作業者は、プリンター１の下面が位置決めシート４の設置空間１３に適合するようにプリンター１を振動吸収部材３上に載置して設置する（図１、図６参照）。プリンター１の設置後、位置決めシート４は設置床面Ｆから取り除かれ、破棄されてもよい（図６参照）。
【００４２】
本実施形態では、上述のように、位置決めシート４は、事務機器としてのプリンター１を設置する際に設置床面Ｆ上に予め配置されるものであって、プリンター１の設置面に原寸で対応する形状を有してプリンター１の設置位置を示していると共に、プリンター１と設置床面Ｆとの間に設けられる振動吸収部材３のプリンター１に対する取付位置を原寸表示した取付位置表示部１７を備えて構成されている。
【００４３】
これにより、プリンター１を実際に設置する前に、プリンター１の設置位置や設置面積を位置決めシート４によって簡易に確認することができ、また、振動吸収部材３を誤って取り付けることがないので振動吸収部材３の取り付けをし直す必要がなく、振動吸収部材３の効果が低減されることもない。また、プリンター１を逆さにしたり横にしたりすることなく、振動吸収部材３をプリンター１に対して最適に作用する取付位置に配置することができ、プリンター１を安定的に設置することができる。また、作業者のプリンター１を設置時の危険や負担を軽減すると共に、プリンター１を傾けることによるトナーの落下や内部部品の負荷を回避することができる。従って、本実施形態の位置決めシート４によれば、正確且つ安全な振動吸収部材３の取り付け及びプリンター１等の事務機器の設置を案内することを可能にする。
【００４４】
また、本実施形態によれば、位置決めシート４は、プリンター１の下面よりも大きな面積を有し、プリンター１の下面の外周に沿う形状でくり抜かれた設置空間１３を中央に設けていて、設置空間１３に沿って角部１５と矢印１６とからなる取付位置表示部１７を設けている。
【００４５】
これにより、位置決めシート４は、中央の設置空間１３を利用してプリンター１の設置位置と共に取付位置表示部１７を示しているので、簡易な構成で振動吸収部材３の取付位置を表示することができる。また、プリンター１は設置空間１３に位置決めされて設置されるので、位置決めシート４をプリンター１に干渉させずに取り除くことができる。
【００４６】
また、本実施形態によれば、プリンター１は、設置床面Ｆに配置された振動吸収部材３上に載置される装置本体２と、装置本体２の下面に対する振動吸収部材３の取付位置を記憶した記憶部９と、記憶部９に記憶した取付位置に基づいて、取付位置を原寸表示した取付位置画像を用紙に形成することで、取付位置画像データに基づく位置決めシート４を生成する画像形成部１０と、を備える。
【００４７】
これにより、プリンター１の設置面（設置空間１３）の大きさや振動吸収部材３の取付位置がプリンター１の機種毎に異なっていて様々なパターンの位置決めシート４が存在する場合でも、設置の対象となるプリンター１を作動させて、対応する位置決めシート４を容易に取得することができる。従って、プリンター１によって位置決めシート４が異なる場合でも、混乱することなく適切な位置決めシート４を取得することができる。
【００４８】
本実施形態では、位置決めシート４を、プリンター１が記憶部９に内部データとして予め記憶されている取付位置画像データを用いて一つの用紙に印刷する構成を説明したが、この構成に限定されない。例えば、本実施形態の変形例では、プリンター１は、複数の領域に分割された取付位置画像データについてそれぞれの領域に対応する複数の分割シートを印刷し、これら複数の分割シートが結合されて一つの位置決めシート４となるように構成されてもよい。図７に示されるように、位置決めシート４が左右二つの分割シート１８及び１９に分割されている場合には、図８に示されるように、分割シート１８及び１９が結合されて一つの位置決めシート４が得られる。これにより、プリンター１で印刷可能な用紙の幅が限定されている場合でも、その幅よりも大きな幅を有する位置決めシート４を生成することができる。なお、取付位置画像データが左右対称であれば、一枚の用紙を折り畳んで重ね、左右いずれか一方のみを印刷してもよい。
【００４９】
また、他の実施形態では、プリンター１は、プリンター１の下面の寸法や、プリンター１に対する振動吸収部材３の適切な取付位置に関する情報を記憶部９に予め記憶していて、位置決めシート４の印刷指示に応じてこれらの情報に基づいて取付位置画像データを生成するように構成されてもよい。
【００５０】
更に、他の実施形態では、取付位置画像データをプリンター１の記憶部９に予め記憶しておく代わりに、プリンター１の付属品であるユーティリティＣＤ等の記憶媒体に取付位置画像データを記憶していてもよい。この場合、プリンター１に接続されたコンピュータがこの記憶媒体から取付位置画像データを読み取ってプリンター１に送信し、その後、記憶部９に記憶する。
【００５１】
また更に、他の実施形態では、取付位置画像データをプリンター１の記憶部９に予め記憶しておく代わりに、インターネット等のネットワーク上のサーバに取付位置画像データを記憶していてもよい。このサーバは、プリンター１の保守に係るウェブページであるサポートページを経由してアクセス可能に構成され、プリンター１に接続されたコンピュータがネットワークを介してこのサポートページにアクセスすることにより取付位置画像データをダウンロード可能となる。そして、ダウンロードした取付位置画像データをコンピュータからプリンター１へと送信し、その後、記憶部９に記憶する。
【００５２】
本実施形態では、位置決めシート４は、作業者がプリンター１を用いて位置決めシート４の印刷指示をすることにより生成される構成を説明したが、この構成に限定されない。例えば、プリンター１は、印刷テスト時にテストパターンを印刷するように構成されていて、このテストパターンと共に取付位置画像データを用紙に形成して位置決めシート４を生成するように構成されてもよい。これにより、作業者は、プリンター１の設置時や初期設定時に、テストパターンを印刷すれば位置決めシート４を取得することができるため、用紙を効率良く利用することができる。或いは、位置決めシート４は、プリンター１の取扱説明書等に付属して予め用意されていてもよい。
【００５３】
また、本実施形態では、位置決めシート４は、プリンター１の下面よりも大きな面積を有し、プリンター１の下面の外周に沿う形状でくり抜かれた設置空間１３を中央に設けていて、設置空間１３に沿って角部１５と矢印１６とからなる取付位置表示部１７を設ける構成を説明したが、この構成に限定されない。
【００５４】
例えば、他の実施形態では、図９〜図１２に示されるように、位置決めシート４は、プリンター１の下面（設置面）の外周に沿った形状を有すると共にこの下面を僅かに下回る面積を有し、またシート自身の外周に沿って振動吸収部材３の取付位置表示部１７を設けて構成されていてもよい。この位置決めシート４は、例えば、プリンター１の下面の矩形形状から四つの角部を切り欠いた形状で形成され、この切欠き部分を取付位置表示部１７として設けている。位置決めシート４は、プリンター１によって、位置決めシート４の外周を示す点線２０が描画されると共に、振動吸収部材３の取付位置を示す矢印１６が描画されるように、取付位置画像が用紙に印刷され、その後、点線２０に沿って余剰部分を切り取ることで生成される。
【００５５】
この位置決めシート４を用いてプリンター１を設置する場合、プリンター１の所望の設置位置に合わせて位置決めシート４を配置した後、取付位置表示部１７に振動吸収部材３を取り付ける。このとき、位置決めシート４を残したまま、プリンター１を振動吸収部材３上に載置して設置する。なお、振動吸収部材３が取付位置表示部１７に適切に取り付けられていれば、位置決めシート４を取り除いた後で、プリンター１を設置してもよい。
【００５６】
これにより、位置決めシート４を必要最小限の用紙で形成することが可能となる。この位置決めシート４の、切欠き部分（取付位置表示部１７）以外の形状によってプリンター１の設置位置を確認することができる。また、位置決めシート４を残したままプリンター１を設置していれば、プリンター１を移動する際に、残された位置決めシート４を再度使用することもできる。
【００５７】
なお、このようにプリンター１の下面よりも小さな面積を有する他の実施形態の位置決めシート４でも、変形例として、図１３及び図１４に示されるように、プリンター１が複数の領域に分割された取付位置画像データについてそれぞれの領域に対応する複数の分割シート２１及び２２を印刷し、これら複数の分割シート２１及び２２を結合することで一つの位置決めシート４が得られるように構成されてもよい。
【００５８】
また、上記した実施形態では、位置決めシート４が用紙に描画される矢印１６によって取付位置表示部１７を設ける構成を説明したが、振動吸収部材３の取付位置を原寸表示する取付位置表示部１７の構成はこれに限定されない。取付位置表示部１７は、例えば、矢印１６以外の絵や記号によって取付位置を原寸表示するように構成されてよい。
【００５９】
本実施形態では、プリンター１に本発明の構成を適用する場合について説明したが、他の異なる実施形態では、複写機、ファクシミリ、複合機等の様々な画像形成装置、或いはその他の事務機器に本発明の構成を適用してもよい。
【符号の説明】
【００６０】
１  プリンター（事務機器、画像形成装置）
２  装置本体
３  振動吸収部材
４  位置決めシート
５  第１排紙トレイ
８  制御部
９  記憶部
１０  画像形成部
１３  設置空間
１７  取付位置表示部
【図１】
2015082059.tif 000003
【図２】
2015082059.tif 000004
【図３】
2015082059.tif 000005
【図４】
2015082059.tif 000006
【図５】
2015082059.tif 000007
【図６】
2015082059.tif 000008
【図７】
2015082059.tif 000009
【図８】
2015082059.tif 000010
【図９】
2015082059.tif 000011
【図１０】
2015082059.tif 000012
【図１１】
2015082059.tif 000013
【図１２】
2015082059.tif 000014
【図１３】
2015082059.tif 000015
【図１４】
2015082059.tif 000016